(57)【特許請求の範囲】
【請求項１】
電子マネー情報とＩＣカード中央演算装置とＩＣカード番号と暗証番号を有するＩＣカードと、該ＩＣカードと電気的に接続される専用のＩＣカード用機器と、該ＩＣカード用機器を接続するホームバスと、該ホームバスに接続される他の機器と、該他の機器と光や電磁波により接続される端末装置を有し、
該端末装置から、対象とするＩＣカード番号と暗証番号と電子マネー情報の移動開始を示す情報とを有する電子マネー情報の移動開始信号を発信し、該移動開始信号を前記他の機器が受信して前記ホームバス上に転送し、前記ホームバス上を転送された前記移動開始信号を前記ＩＣカード用機器が取得し、前記ＩＣカード用機器は、取得した前記移動開始信号に有する暗証番号を、前記対象とするＩＣカード番号で指定された前記ＩＣカードに伝達し、前記ＩＣカードは、入力された前記暗証番号を前記ＩＣカード中央演算装置で前記ＩＣカードに有する前記暗証番号と照合し、正しければ、前記電子マネー情報の移動開始を示す情報に従い、前記電子マネー情報の移動を開始し、移動した前記電子マネー情報を前記ＩＣカード用機器が前記ホームバス上に出力して移動させることを特徴とするホームバスシステムの情報制御方法。
【請求項２】
電子マネー情報とＩＣカード中央演算装置とＩＣカード番号と暗証番号を有するＩＣカードと、該ＩＣカードと電気的に接続される専用のＩＣカード用機器と、該ＩＣカード用機器を接続するホームバスと、該ホームバスに接続される他の機器と、該他の機器と光や電磁波により接続される端末装置を有し、
該端末装置から、対象とするＩＣカード番号と暗号化された暗証番号と電子マネー情報の移動開始を示す情報とを有する電子マネー情報の移動開始信号を発信し、該移動開始信号を前記他の機器が受信して前記ホームバス上に転送し、前記ホームバス上を転送された前記移動開始信号を前記ＩＣカード用機器が取得し、前記ＩＣカード用機器は、取得した前記移動開始信号に有する暗号化された暗証番号を、前記対象とするＩＣカード番号で指定された前記ＩＣカードに伝達し、前記ＩＣカードは、入力された前記暗号化された暗証番号を前記ＩＣカード中央演算装置で解読し前記ＩＣカードに有する前記暗証番号と照合し、正しければ、前記電子マネー情報の移動開始を示す情報に従い、前記電子マネー情報の移動を開始し、移動した前記電子マネー情報を前記ＩＣカード用機器が前記ホームバス上に出力して移動させることを特徴とするホームバスシステムの情報制御方法。
【発明の詳細な説明】
【０００１】
【発明の属する技術分野】
本発明は、機器筐体の外部に入出力可能で複数の機器を接続可能なホームバスシステムに係り、特にホームバス上に接続された機器がＩＣカードに記録された情報を利用するために、ＩＣカードの情報をホームバス上でやり取りするホームバスシステムの情報制御方法に関する。
【０００２】
【従来の技術】
従来、ホームバスシステムを用いて相互に接続された複数の機器の制御は、例えば特開平８−２７５２５５号公報記載の様に、有る特定の機器の動作をホームバスで接続された他の機器を介して離れた場所からリモート機器で制御する方法が開示されている。機器の動作としては、例えばテレビやエアコンの電源の制御といった機器単体の制御を行うものであった。一方、特開平８−３６６０５号公報記載の様に、テレビを介したショッピングや通信回線を介したインターネットショッピングといった販売の形態が広く普及してきてたことに呼応し、例えば決済の手段としてＩＣカードに記録された情報を使った方法が現れてきた。特に、ＩＣカードに電子マネーを記録し、この電子マネーを使った即時決済が広く利用されるようになってきた。
【０００３】
【発明が解決しようとする課題】
従来の技術では、ホームバスに接続された機器の間で相互にデータのやり取りが出来るものの、ＩＣカードに記録された情報をこれらホームバスに接続された機器が相互に利用することが出来なかった。
【０００４】
また、ＩＣカードに記録された情報を使った決済を、ホームバスに接続された他の機器が利用する事が出来なかった。
【０００５】
また、リモート機器をつかって離れた場所からＩＣカードに記録された情報を利用しての決済が出来なかった。
【０００６】
本発明の目的は、ホームバスの出現で相互に連携しての動作が可能となった複数の機器間において、ＩＣカードに記録された情報を相互に利用可能とするホームバスシステムの情報制御方法を提供することにある。
【０００７】
本発明の他の目的は、ホームバスの出現で相互に連携しての動作が可能となった複数の機器間において、ＩＣカードに記録された情報を相互に利用可能とし、且つ、ＩＣカードに記録された情報を複数の機器が扱う事を可能とするホームバスシステムの情報制御方法を提供することにある。
【０００８】
本発明のさらに他の目的は、ホームバスの出現で相互に連携しての動作が可能となった複数の機器間において、ＩＣカードに記録された情報を相互に利用可能とし、且つ、ＩＣカードに記録された情報を複数の機器が扱う事を可能とし、さらに、リモート機器を利用して機器から離れた場所でＩＣカードに記録された情報を利用した決済が出来るようにするホームバスシステムの情報制御方法を提供することにある。
【０００９】
【課題を解決するための手段】
上記目的を達成するために、本発明は、電気的な情報を受け取って判断や処理を行う中央演算部を内部に有して外部からの情報の読み取り又は書き込みを可能としたＩＣカードと、該ＩＣカードと電気的に接続されて情報の読み取り又は書き込みを行う端末装置と、該端末装置と光や電磁気により接続されて電気的な情報が移動するホームバスを有するホームバスシステムにおいて、前記端末装置がＩＣカードから読み出したＩＣカード情報を、前記ホームバスの上で移動させることを特徴とする。
【００１０】
また、本発明は、電気的な情報を受け取って判断や処理を行う中央演算部を内部に有して外部からの情報の読み取り又は書き込みを可能としたＩＣカードと、該ＩＣカードと電気的に接続されて情報の読み取り又は書き込みを行う端末装置と、該端末装置と光や電磁気により接続されて電気的な情報が移動するホームバスと、前記端末装置がＩＣカードから読み出したＩＣカード情報を、前記ホームバスの上で移動させると共に、前記端末装置が少なくとも光や電磁気の送出手段を有し、かつ、前記ホームバスに電気的に接続されて光や電磁気の受信部を有する中継装置が設けられ、前記端末装置が前記ＩＣカードから読み出した情報を光や電磁気を使って送出し、該送出された光や電磁気を前記中継装置が受信し、さらに、前記中継装置が受信した情報に少なくとも自機器を示す固有な情報を付加して前記ホームバスに出力することを特徴とする。
【００１１】
さらに、本発明は、電気的な情報を受け取って判断や処理を行う中央演算部を内部に有して外部からの情報の読み取り又は書き込みを可能としたＩＣカードと、該ＩＣカードと電気的に接続されて情報の読み取り又は書き込みを行う端末装置と、該端末装置と光や電磁気により接続されて電気的な情報が移動するホームバスを有するホームバスシステムにおいて、前記端末装置がＩＣカードから読み出したＩＣカード情報を、前記ホームバスの上で移動させると共に、前記端末装置がＩＣカード操作の指示情報を読み取り、該ＩＣカード操作の指示情報に従い前記ＩＣカードから読み出したＩＣカード情報を前記ＩＣカード操作の指示情報を付加して前記ホームバスの上に出力することを特徴とする。
【００１２】
【発明の実施の形態】
本発明の第１の実施例を図１〜図７を用いて説明する。
【００１３】
図１は、本発明の第１の実施例の構成を示す構成図である。１はＩＣカード、２は電子マネー情報、３は電子マネー情報２の読み書き処理や外部との通信等の処理を行うＩＣカード中央演算装置、４はＩＣカード中央演算装置３とＩＣカード１の外部との通信を行うＩＣカード接続部である。ＩＣカード１は内部に電子マネー情報２とＩＣカード中央演算装置３とＩＣカード接続部４を有する。
【００１４】
５は端末装置、６はＩＣカード１のＩＣカード接続部４を介して通信を行う接続部、７は接続部６を経由したＩＣカード１の制御等の端末装置５全体の制御を行う中央演算装置、８は中央演算装置７に繋がれて、端末装置５に固有なＩＤ番号である機器番号情報イ、９は中央演算装置７に端末装置５の使用者が指示を入力する為の入力装置、１０は中央演算装置7の指示に従って赤外線信号１１を発光する赤外線発光部、１２は端末装置５に向けて送信された赤外線信号１３を受信し且つ受信した情報を中央演算装置７に伝達する赤外線受光部、１４は赤外線受光部１２で受信した赤外線信号１３のエネルギーの強さを検出し且つ検出した強さに応じた出力を中央演算装置７に伝達するところの赤外線受光部１２の内部の赤外線強度検出部、１５は伝達された赤外線強度検出部１４の出力を赤外線受光部１２で受信した情報毎に比較するところの、中央演算装置７の内部の演算機能である強度比較機能である。端末装置５は内部に接続部６と中央演算装置７と機器番号情報イ８と入力装置９と赤外線発光部１０と赤外線受光部１２を有する。
【００１５】
１６はホームバス１７に接続された機器Ａ、１８はホームバス１７に接続された第２の装置である機器Ｂ、１９はホームバス１７に接続された第３の装置である外部通信機器である。
【００１６】
２０は端末装置５が発光した赤外線信号１１を受信する赤外線受光部、２１は機器Ａ１６の動作を制御する中央演算装置、２２は赤外線信号１３を発光する赤外線発光部、２３は赤外線受光部２０での赤外線信号１１の受信と受信した情報の内容を判断し且つ赤外線発光部２２からの赤外線信号１３の送出を処理するところの中央演算装置２１内部の機能である赤外線送受制御機能、２４は機器Ａ１６に固有なＩＤ番号である機器番号情報ロ、２５は中央演算装置２１がホームバス１７に接続された他の機器と通信する為の処理を行う送受信回路である。機器Ａ１６は内部に赤外線受光部２０と中央演算装置２１と赤外線発光部２２と機器番号情報ロ２４と送受信回路２５を有する。
【００１７】
２６は端末装置５が発光した赤外線信号１１を受信する機器Ｂ１８の赤外線受光部、２７は機器Ｂ１８の動作を制御する中央演算装置、２８は赤外線信号１３'を発光する機器Ｂ１８の赤外線発光部、２９は赤外線受光部２６での赤外線信号１１の受信と受信した情報の内容を判断し且つ赤外線発光部２８からの赤外線信号１３'の送出を処理するところの、中央演算装置２７内部の機能である赤外線送受制御機能、３０は機器Ｂ１８に固有なＩＤ番号である機器番号情報ハ、３１は中央演算装置２７がホームバス１７に接続された他の機器と通信する為の処理を行う送受信回路である。機器Ｂ１８は内部に赤外線受光部２６と中央演算装置２７と赤外線発光部２８と機器番号情報ハ３０と送受信回路３１を有する。
【００１８】
３２は外部通信機器１９の制御を行う中央演算装置、３３はホームバス１７に接続され且つホームバス１７上を流れる情報を中央演算装置３２に伝えたり中央演算装置３２からの情報をホームバス１７上に送出する送受信回路、３４は外部通信機器１９に固有なＩＤ番号である機器番号情報ニ、３５は中央演算装置３２に接続され且つ他端を通信回線に接続可能とし、中央演算装置３２と通信回線を介した他の装置との間で電子情報のやり取りを可能とするモデム装置、３６は中央演算装置３２の内部でモデム装置３５に対する電子情報の入力と出力を切り替えるデータ切替機能、３７は中央演算装置３２の内部で送受信回路３３から取得したホームバス１７上の情報からＩＣカード１の出力した情報を抽出し且つ抽出した情報をデータ切替機能３６を介してモデム装置３５から送出するＩＣカードデータ抽出機能、３８は中央演算装置３２の内部でモデム装置３５から取得した通信回線を介した情報をデータ切替機能３６から取得し且つ取得した情報の中からＩＣカード１に対する情報を抽出し且つ抽出した情報を送受信回路３３からホームバス１７に送出するＩＣカードデータ抽出機能である。
【００１９】
更に、本実施例の構成について図２を用い説明する。
【００２０】
図２は本実施例の形態を示す構成図である。図１と同一の構成は同一の番号を附している。通信回線として電話回線３４を用いている。３５は、外部通信機器19のモデム装置35と通信回線３４を介して接続し、電子情報のやり取りを行うホスト装置である。３６は図１の機器Ａ１６や機器Ｂ１８と同様な構成を有した機器Ｃを示している。図２では、端末装置５から発光された赤外線信号１１を、複数の機器が受信している様子を示している。赤外線信号１１を受信した機器Ａ１６、機器Ｂ１８、機器Ｃ３６はそれぞれの機器が固有な時間差で応答の赤外線信号１３を発光する構成である。
【００２１】
以上の構成により、以下本発明の動作を、図３〜図９を用いて説明する。
【００２２】
図３は図１に示す構成を持った本実施例の赤外線信号１１、赤外線信号１３及び１３'で通信される電子情報を示したデータ構成図である。（ａ）は、端末装置５が最初に複数存在するであろう機器に対して送出する赤外線を用いた接続要求信号である。電子情報の内容として、接続要求信号７１を発信した機器として、端末装置５の中央演算装置７が、機器番号情報イ８を読み出して、付加する。（ｂ）は、機器Ａ１６が（ａ）の接続要求信号７１に対して返送した接続応答信号７２であり、電子情報の内容には、機器Ａ１６の中央演算装置２１が、機器番号情報ロ２４を、機器番号情報イ８と共に付加している。（ｃ）は、機器Ｂ１８が（ａ）の接続要求信号７１に対して返送した接続応答信号７２であり、電子情報の内容には、機器Ｂ１８の中央演算装置２７は、機器番号情報ハ３０を、機器番号情報イ８と共に付加している。（ｄ）は、本実施例の端末装置５が例えば機器Ａ１６を選択した場合に、送出する接続確認信号７３であり、電子情報の内容には、選択した機器として機器Ａ１６を示す機器番号ロ２４が機器番号情報イ８と共に付加されている。（ｅ）は、選択された機器Ａ１６が、（ｄ）に示した接続確認信号を受信した場合に返送する接続確認応答信号７４であり、機器番号ロ２４が機器番号情報イ８と共に付加されている。
【００２３】
図３では、端末装置５が送信した接続要求信号を受信した機器は、機器Ａ１６と機器Ｂ１８との２つの例について示したが、他の機器Ｃ３６が有っても、異なった機器番号を用いる事で、（ａ）〜（ｅ）に示した電子情報を相互に送受信する動作を行う。
【００２４】
更に、本発明の動作を、図４を用いて説明する。図４は図１に示す構成を持った本実施例の赤外線信号１１、赤外線信号１３及び１３'通信される電子情報の内容を示したデータ構成図であり、一度図３に示す電子情報の送受に従い、相互に接続が確立した後に、何らかの要因により、接続が切れたときの情報を示している。（ａ）は、端末装置５が複数存在するであろう機器に対して送出する赤外線を用いた再接続要求信号７５であり、電子情報の内容には、再接続要求を発信した機器として、端末装置５の中央演算装置７が、機器番号情報イ８を読み出して付加している。（ｂ）は、機器Ａ１６が（ａ）の再接続要求信号７５に対して返送した再接続応答信号７６であり、電子情報の内容には、機器Ａ１６の中央演算装置２１が、機器番号情報ロ２４を機器番号情報イ８と共に付加している。（ｃ）は、機器Ｂ１８が（ａ）の再接続要求信号７５に対して返送した再接続応答信号７６であり、電子情報の内容には、機器Ｂ１８の中央演算装置２７は、機器番号情報ハ３０を機器番号情報イ８と共に付加している。（ｄ）は、本実施例の端末装置５が、例えば機器Ａ１６を選択した場合に、送出する再接続確認信号７７であり、電子情報の内容には、機器番号情報ハ３０と機器番号情報イ８とが付加されている。（ｅ）は、選択された機器Ａ１６が、（ｄ）に示した再接続確認信号７７を受信した場合に返送する再接続確認応答信号でであり、電子情報の内容には、機器番号情報ハ３０と機器番号情報イ８とが付加されている。ある。
【００２５】
図４では、図３と同様に、端末装置５が送信した接続要求信号を受信した機器は、機器Ａ１６と機器Ｂ１８との２つの例について示したが、他の機器Ｃ３６が有っても、異なった機器番号を用いる事で、（ａ）〜（ｅ）に示した電子情報を相互に送受信する動作を行う。
【００２６】
更に、本発明の動作を、図５を用いて説明する。図５は図１に示す構成を持った本実施例の赤外線信号１１、赤外線信号１３及び１３'通信される電子情報の内容を示したデータ構成図であり、図３に示す電子情報の送受に従い、相互に接続が確立した後に、端末装置５からの指示によりＩＣカード１の内部に記録された電子マネー情報２の値を変化する事で、等価的に電子マネー情報を移動する際のデータを示している。（ａ）は、端末装置５が、電話回線３４の先に接続されたホスト装置３５と外部通信機器１９を介して電子マネー情報の移動の開始を要求を伝える為に、送出する移動開始要求信号７９である。送出される信号７９には、赤外線を送信した装置として端末機器５の機器番号情報イ８と、既に接続が確立している機器Ａ１６の機器番号情報ロ２４に加え、電子マネー情報の移動対象となる端末機器５の機器番号情報イ８とホームバス１７上に接続され且つ外部との通信の際の入出力口となる外部通信機器１９の機器番号情報ニ３４を、付加した形で送出される。この際、端末装置５は、外部通信機器１９の機器番号情報ニ３４の情報は、例えば外部との電子マネー情報の移動が可能な機器の情報を取得する命令を用いる事等で、予め入手しているものである。
【００２７】
（ｂ）は、外部通信機器１９が、電子マネー情報の移動が可能な場合に返す移動開始応答信号であり、ホームバス１７上を介して機器Ａ１６に伝えられた情報に、機器Ａ１６が自分の機器番号情報イ８を付加して送信する。（ｂ）に示す応答を受け取った端末装置５は、ＩＣカード１と通信し、電子マネー情報を取得し、（ｃ）に示す電子マネー情報信号８１等の形にして送出する。機器Ａ１６は、受信した（ｃ）に示された電子マネー情報をホームバス１７を介して外部通信機器１９に転送する。外部通信機器１９では、電子マネー情報を電話回線３４を経由してホスト装置３５に送出し、ホスト装置３５が返す電子マネーの確認情報を取得する。取得後、ホームバス１７を介して機器Ａ１６へ電子マネーの確認情報を送出する。機器Ａ１６は、取得した電子マネーの確認情報８２を（ｄ）に示すデータの形として端末装置５に対して送出する。端末装置５は、受信した（ｄ）に示された電子マネーの確認情報をＩＣカード１に伝達する。
【００２８】
ＩＣカード中央演算装置３は、電子マネー情報２と照合を取り、正しくホスト装置３５との間で電子マネー情報が受け渡しされた事を確認すると、端末装置５に対して正常に終了した旨を通知する。通知を受けた端末装置５は、（ｅ）に示す電子マネー情報の移動終了要求信号８３等を作成し、赤外線で送出する。（ｅ）に示された電子マネー情報の移動終了要求信号８３等を受信した機器Ａ１６は、外部通信機器１９に対しホームバス１７を介して電子マネー情報の移動が終了した旨を通知する。外部通信機器１９は、該通知をホスト装置３５に伝達する。ホスト装置３５では、受信した通知の確認を行い、通知が正しければ通知に対し終了応答を返送する。終了応答を受け取った外部通信機器１９は、該応答を（ｆ）に示した電子マネー情報の移動終了応答信号８４等として端末装置５に向けて送出する。該応答信号を受け取った端末装置５は、電子マネーの移動処理を終了する。
【００２９】
更に、本発明の動作を図６を用い説明する。図６は図１に示す構成を持った本実施例において、ホームバス上の機器との接続の開始から接続確立までの、端末装置５の中央演算装置７の動作を示した動作フロー図である。端末装置５の使用者は、入力装置９を操作して端末装置５とホームバス上の機器との赤外線を使ったデータ通信の開始を指示する。該指示に従い、端末装置５は、接続を開始する（Ｓ６１）。まず、端末装置５は赤外線発光部１０から図３（ａ）で示した赤外線信号１１を発光し、予め定められた受信待ち時間を設定する（Ｓ６２）。端末装置５から送出された赤外線信号１１は、ホームバス１７上の機器により受信され、各機器は、各機器固有の待ち時間だけ待った後に図３（ｂ）、（ｃ）に示した接続応答を赤外線信号１３、１３'として送出する（Ｓ６３）。端末装置５は、赤外線受光部１２で各機器が送出した赤外線信号１３、１３'を受信し、同時に赤外線強度検出部１４で受信した赤外線信号の強度情報を取得し記録する（Ｓ６４）。
【００３０】
この後、端末装置５は、先に設定した受信待ち時間が過ぎたかを確認し（Ｓ６５）、記録した各機器からの赤外線信号の強度情報を、中央演算装置７内部の強度比較機能１５により比較する。比較の結果、赤外線信号の強度情報が最も大きかった機器の機器番号情報を選択した機器番号情報に設定し図３（ｄ）に示す接続確認を赤外線信号として送出する（Ｓ６６）。該接続確認で選択された機器は、図３（ｅ）に示す選択された機器番号情報イを設定して接続確認応答を送出する（Ｓ６７）。端末装置５は、受信した接続確認応答を受信すると、選択された機器番号情報を、図３（ｄ）で設定した機器番号情報イと同じである事を確認し（Ｓ６８）、同じであれば接続が確立する（Ｓ６９）。
【００３１】
更に、本発明の動作を、図７を用いて説明する。図７は図１に示す構成を持った本実施例の端末装置５の中央演算装置７が、図６に示すフロー図に従いホームバス上の機器との接続を確立した後、赤外線が遮断された等の何らかの要因により、接続が切れ、再接続の開始から再接続確立までの端末装置５の中央演算装置７の動作を示した動作フロー図である。端末装置５は、接続が切れた事を検出すると再接続を開始する（Ｓ７１）。すると、図４（ａ）で示した赤外線信号１１を発光し、予め定められた受信待ち時間を設定する（Ｓ７２）。端末装置５から送出された赤外線信号１１は、ホームバス１７上の機器により受信され、各機器は、各機器固有の待ち時間だけ待った後に図４（ｂ）、（ｃ）に示した再接続応答を赤外線信号１３、１３'として送出する（Ｓ７３）。端末装置５は、赤外線受光部１２で各機器が送出した赤外線信号１３、１３'を受信し、同時に赤外線強度検出部１４で受信した赤外線信号の強度情報を取得し記録する（Ｓ７４）。
【００３２】
この後、端末装置５は、先に設定した受信待ち時間が過ぎたかを確認し（Ｓ７５）、記録した各機器からの赤外線信号の強度情報を、中央演算装置７内部の強度比較機能１５により比較する。比較の結果、赤外線信号の強度情報が最も大きかった機器の機器番号情報を選択した機器番号情報に設定し図４（ｄ）に示す再接続確認を赤外線信号として送出する（Ｓ７６）。該再接続確認で選択された機器は、図４（ｅ）に示す選択された機器番号情報イを設定して再接続確認応答を送出する（Ｓ７７）。端末装置５は、受信した再接続確認応答を受信すると、選択された機器番号情報を、図４（ｄ）で設定した機器番号情報イと同じである事を確認し（Ｓ７８）、同じであれば接続が確立し再接続が完了する（Ｓ７９）。
【００３３】
更に、本発明の動作を、図８を用いて説明する。図８は図１に示す構成を持った本実施例の端末装置５の中央演算装置７が、図６に示すフロー図に従いホームバス上の機器との接続を確立した後、端末装置５の使用者が、入力装置９を操作して端末装置５とホームバス上の外部通信機器１９介したホスト装置３５との電子マネーの移動を指示した場合の端末装置５の中央演算装置７の動作フロー図である。
【００３４】
端末装置５は、使用者の指示に従い電子マネー情報の移動を開始すると、まず図５（ａ）に示す電子マネー情報の移動開始要求を送出する（Ｓ８１）。該要求には、電子マネーを移動する相手として外部通信機器１９の機器番号情報ニを設定している。移動開始要求を送出した端末装置５は、規定の受信待ち時間の間、通信相手の機器Ａ１６からの応答を待つ。機器Ａ１６は、移動開始要求を受信すると移動する対象として設定された外部通信機器１９へホームバス１７を経由して該要求を転送する。外部通信機器１９は、要求を受信すると、電話回線３４を経由したホスト装置３５との間の電子マネー情報の移動の開始を通知する。ホスト装置３５との間の電子マネー情報の移動が可能な状態となると、外部通信機器１９は、電子マネー情報の移動開始応答をホームバス１７に出力する。該移動開始応答を検知した機器Ａは、赤外線信号として図５（ｂ）に示す移動開始応答を出力する（Ｓ８２）。端末装置５は、該移動開始応答を受信し（Ｓ８３）、機器番号情報が正しく設定されている事を確認し（Ｓ８４）、電子マネー情報の移動を開始する。端末装置５は、ＩＣカード１のＩＣカード中央演算装置３に対し、ＩＣカード接続部４を経由して電子マネー情報２の移動を指示する。
【００３５】
ＩＣカード中央演算装置３は、電子マネー情報２を読み出し、端末装置５からの指示に従った金額の電子マネー情報を出力する（Ｓ８５）。ＩＣカード１からの電子マネー情報を受け取った端末装置５は、図５（ｃ）に示す電子マネー情報を示す情報を赤外線で送出する。機器Ａ１６は、電子マネー情報を示す情報を受信するとホームバス１７を介して外部通信機器１９へ取得した電子マネー情報を転送する。転送を受けた外部通信機器１９は、電子マネー情報をホスト装置３５へ伝達する。ホスト装置３５は、電子マネー情報の確認を行い、電子マネーの確認情報を出力する。電子マネーの確認情報を受け取った外部通信機器１９は、ホームバス１７を経由して機器Ａ１６に電子マネーの確認情報を転送する。機器Ａ１６は、図５（ｄ）に示す電子マネー情報の確認を示す情報を赤外線で送出する（Ｓ８６）。端末装置５は、電子マネー情報の確認を示す情報を受信し（Ｓ８７）、機器番号情報が正しく設定されている事を確認し（Ｓ８８）、電子マネーの確認情報をＩＣカード１に伝える。
【００３６】
ＩＣカード中央演算装置３が、電子マネーの確認情報が正しい事を確認すると電子マネーの移動終了情報を出力する（Ｓ８９）。ＩＣカード１からの電子マネーの移動終了情報を受け取った端末装置５は、図５（ｅ）に示す電子マネー情報の移動確認要求を赤外線で送出する。機器Ａ１６は、電子マネー情報の移動確認要求を受信するとホームバス１７を介して外部通信機器１９へ取得した電子マネーの移動終了情報を転送する。転送を受けた外部通信機器１９は、電子マネーの移動終了情報をホスト装置３５へ伝達する。ホスト装置３５は、電子マネーの移動終了情報の確認を行い、電子マネーの移動終了応答情報を出力する。電子マネーの移動終了応答情報を受け取った外部通信機器１９は、ホームバス１７を経由して機器Ａ１６に電子マネーの移動終了応答情報を転送する。機器Ａ１６は、図５（ｆ）に示す電子マネー情報の移動終了応答を赤外線で送出する（Ｓ９０）。端末装置５は、電子マネー情報の移動終了応答を受信し（Ｓ９１）、機器番号情報が正しく設定されている事を確認し（Ｓ９２）、電子マネー情報の移動を終了する（Ｓ９３）。
【００３７】
以上述べた動作による、本実施例の効果を以下述べる。
【００３８】
本実施例では、端末装置５と機器Ａとの間の通信が出来なくなっても、再度、赤外線信号の強度によって再接続されるため、例えば人体等で赤外線信号が遮断されたりしても継続して通信を継続出来る効果がある。また、電子マネー情報を受け渡す再に送受共に赤外線による通信が確立されている為、ホスト装置３５との間でお互いにデータを送受しあって情報の確認が可能である効果もある。尚、本実施例の機器Ａ１６、機器Ｂ１８、機器Ｃ３６や外部通信機器１９のそれぞれは、同一のホームバス１７が敷設されている場所であれば、設置場所に何ら制限の無い事は言うまでも無く、例えば各機器が異なる居室に配されても、そのいずれかの機器が端末装置５の赤外線信号１１を受信し、かつ赤外線信号１３を端末装置５が受信可能であれば良い。
【００３９】
次に、本発明の第２の実施例を、図９〜図１２を用いて説明する。
【００４０】
図９は、本発明の第２の実施例を示す構成図である。以下、図９を用いて構成を説明する。本実施例で第１の実施例と同一の構成には、同一の番号を付してある。第２の実施例が第１の実施例と異なるのは、機器Ａ３６及び機器Ｂ３７がそれぞれ赤外線受光部２０及び２６のみを有し、赤外線の発光手段を持たない点である。又、端末装置３８も、赤外線発光部１０のみを有し、赤外線の受信手段及び強度比較機能を有していない点である。
【００４１】
更に、本実施例の構成について、図１０を用いて説明する。
【００４２】
図１０は、本実施例の形態を示す構成図である。
【００４３】
図９と同一の構成及び第１の実施例と同一の構成は、同一の番号を附している。本実施例では、端末装置３８は赤外線信号３９を発信するのみで受信は出来ない構成となっている。又、ホームバス１７に接続された機器Ａ３６、機器Ｂ３７及び機器Ｃ４０はいずれも赤外線信号の受信が可能な構成である。
【００４４】
以上の構成により、以下本発明の動作を、図１１及び図１２を用いて説明する。
【００４５】
図１１は図９に示す構成を持った本実施例の赤外線信号３９で通信される電子情報を示したデータ構成図である。（ａ）は、端末装置５が最初に複数存在するであろう機器に対して送出する赤外線を用いた接続要求信号である。電子情報の内容として、接続要求信号８０を発信した機器として、端末装置３８の中央演算装置７が、機器番号情報イ８を読み出して、付加する。また接続を求める相手の機器として、外部通信機器の機器番号情報ニ３４を設定し付加している。更に、送出する信号には、送出する信号順に通し番号７９を付加した構成としている。（ｂ）は、機器Ａ３６が（ａ）の接続要求信号８０を受信した後に、ホームバス１７上に転送した接続要求信号８０であり、電子情報の内容には、機器Ａ３６の中央演算装置２１が、機器番号情報ロ２４をさらに付加している。（ｃ）は、機器Ｂ３７が（ａ）の接続要求信号８０を受信した後に、ホームバス１７上に転送した接続要求信号８０であり、電子情報の内容には、機器Ｂ３７の中央演算装置２７は、機器番号情報ハ３０を（ｂ）の機器番号情報ロ２４の代えて付加している。
【００４６】
（ｄ）は、本実施例の端末装置３８が、電子マネー情報の移動を開始する場合に送出する移動開始情報８２であり、電子情報の内容には、機器番号情報イ８を読み出して付加し、更に、送出する信号順の通し番号８１と、接続を求める相手の機器として外部通信機器の機器番号情報ニ３４をさらに付加している。（ｅ）は、端末装置３８が、電子マネー情報の移動を実行する場合に送出する電子マネー情報信号８５であり、電子情報の内容には、機器番号情報イ８を読み出して、付加し、更に、送出する信号順の通し番号８３と、接続を求める相手の機器として外部通信機器の機器番号情報ニ３４と、電子マネー情報を示す情報８５をさらに付加している。（ｆ）は、端末装置３８が、電子マネー情報の移動を終了する場合に送出する移動終了を示す情報８７であり、電子情報の内容には、機器番号情報イ８、送出する信号順の通し番号８６と、接続を求める相手の機器として外部通信機器の機器番号情報ニ３４をさらに付加している。
【００４７】
更に、本発明の動作を、図１２を用いて説明する。図１２は図９に示す構成を持った本実施例の中央演算装置３２の動作を示す動作フロー図である。まず、外部通信機器１９は、ホームバス１７上の一つのデータの受信待ち時間を設定する（Ｓ１２０１）。この後、送受信回路３３を介してホームバス１７上で送られる外部通信機器１９宛ての情報を待ち、情報が有った場合、その情報を取得し、記録する（Ｓ１２０２）。次に、赤外線を受信した装置は、例えば受信した接続要求信号に、転送した機器の番号として、自機器の機器番号情報を付加して、ホームバス上に出力する（Ｓ１２０３）。先に設定した受信待ち時間が過ぎたか否かを確認し（Ｓ１２０４）、受信待ち時間が未経過の間、情報の監視と受信を続ける。受信待ち時間が過ぎた後、記録した外部通信機器１９宛ての情報を読み出し、記録した情報を比較し、自機器に対する同じ通し番号が付された同じ発信元(例えば本実施例の場合の端末)からの情報を抽出する（Ｓ１２０５）。
【００４８】
次に、抽出情報を通し番号毎に分類し、分類された通し番号の中から、最も通し番号が若い情報を抽出を抽出する（Ｓ１２０６）。次に、抽出した通し番号が未処理か否かを判別し（Ｓ１２０７）、処理済みの場合は、次に若い通し番号の情報を抽出し（Ｓ１２０８）、次に、抽出した通し番号が未処理か否かを判別する（Ｓ１２０７）。一方、抽出した通し番号が未処理の場合は、同じ発信元で同じ通し番号の情報の数を調べる（Ｓ１２０８）。情報が一つの場合、該情報を処理する（Ｓ１２０９）。情報が複数の場合、総て同一の内容か否かを判定する（Ｓ１２１０）。同じであれば、該情報を処理する（Ｓ１２０９）。異なる場合には、各情報の比較を行い、最も多い同一の情報をする（Ｓ１２１１）。この際、例えば、３つのデータの内、２つが同一で一つが異なる場合、２つの同一なデータを抽出する事となる。中央演算装置３２は、抽出した情報を処理する（Ｓ１２０９）。
【００４９】
この後、先に記録され通し番号毎に分類されたデータの中に、次の通し番号の情報の有無を確認する（Ｓ１２１２）。次の通し番号の情報が有った場合、該データを抽出し（Ｓ１２１３）、先の抽出後の処理に戻って判断と処理が継続される。次の通し番号のデータが無い場合には、必要な情報は取得したを確認し（Ｓ１２１４）、取得済みの場合は終了し、未取得の場合には、ホームバス１７上の一つのデータの受信待ち時間を設定する動作（Ｓ１２０３）に戻って処理を継続する。
【００５０】
更に、本実施例の動作を詳細に説明する。ここで、ホームバス１７上のデータの処理端末装置３８の使用者が、入力装置９を操作して端末装置３８とホームバス１７上の外部通信機器１９を介したホスト装置３５との電子マネーの移動を指示した場合を例として説明する。端末装置３８は、使用者の指示に従い電子マネー情報の移動を開始すると、まず図１１（ａ）に示す接続要求信号を赤外線信号３９として送出する。接続要求信号を受信した機器Ａ３６や機器Ｂ３７はそれぞれ、自機器の機器番号情報を設定して図１１（ｂ）や図１１（ｃ）に示した接続要求をホームバス１７上に転送する。この後、ホームバス１７で繋がった外部通信機器１９は、図１２に従った動作により、図１１（ｂ）や図１１（ｃ）の形の接続要求を受信する。
【００５１】
次に、端末装置３８は、図１１（ｄ）の移動開始信号を送出する。移動開始信号を受信した機器Ａ３６や機器Ｂ３７がホームバス１７上に移動開始を転送する。この移動開始を、外部通信機器１９が受け取り、電話回線３４を介してホスト装置３５に伝達する。更に、端末装置３８は、図１１（ｅ）の電子マネー情報信号を送出する。電子マネー情報信号を受信した機器Ａ３６や機器Ｂ３７がホームバス１７上に電子マネー情報を転送する。この電子マネー情報を、外部通信機器１９が受け取り、電話回線３４を介してホスト装置３５に伝達する。この後、端末装置３８は、図１１（ｆ）の移動終了信号を送出する。移動終了信号を受信した機器Ａ３６や機器Ｂ３７がホームバス１７上に移動終了を転送する。この移動終了を、外部通信機器１９が受け取り、電話回線３４を介してホスト装置３５に伝達することで、電子マネーの移動が完了する。
【００５２】
以上述べた動作による、本実施例の効果を以下述べる。
【００５３】
本実施例では、端末装置３８は赤外線の送信機能のみを有し、ホームバス１７上の機器は赤外線の受信機能のみで構成されている。このため、第１の実施例に比べ、端末装置に赤外線の受信機能が不要で、かつ機器には赤外線の送信機能が不要となり、構成が簡単である効果がある。尚、本実施例の機器Ａ３６、機器Ｂ３７、機器Ｃ４０や外部通信機器１９のそれぞれは、同一のホームバス１７が敷設されている場所であれば、設置場所に何ら制限の無い事は言うまでも無く、例えば各機器が異なる居室に配されても、そのいずれかの機器が端末装置３８の赤外線信号を受信すれば良い。
【００５４】
次に、本発明の第３の実施例を、図１３〜図１５を用いて説明する。
【００５５】
図１３は、本発明の第３の実施例を示す構成図である。以下、図１３を用いて構成を説明する。本実施例で第１の実施例と同一の構成には、同一の番号を付してある。第３の実施例が第１の実施例と異なるのは、機器Ａ３６が赤外線受光部２０のみを有し、赤外線の発光手段を持たない点、及びＩＣカード１の接続部４４を有したＩＣカード用機器４１が、ホームバス１７上に接続されている点である。又、端末装置４５も、赤外線発光部１０のみを有し、赤外線の受信手段及び強度比較機能を有していない点及びＩＣカード１の接続部が無い点である。４２はＩＣカード用機器４１の制御を行う中央演算装置、４３はＩＣカード用機器４１に固有なＩＤ番号である機器番号情報ホ、４４は接続部である。ＩＣカード用機器４１は送受信回路２５と中央演算装置４２と機器番号情報ホ４３と接続部４４を有する。４６は本実施例の端末装置４５の赤外線発光部１０が発光する赤外線信号である。４７はＩＣカード１の内部に記録されたＩＣカードに固有なＩＤ番号であるＩＣカード番号、４８はＩＣカード毎に登録と変更が可能な暗証番号である。ＩＣカード１は図９に図示のものにさらにＩＣカードに固有なＩＤ番号４７と暗証番号４８を有する。
【００５６】
更に、本実施例の構成について図１４を用いて説明する。
【００５７】
図１４は、本実施例の形態を示す構成図である。
【００５８】
図１３と同一の構成及び第１の実施例と同一の構成は、同一の番号を附している。本実施例では、端末装置４５は赤外線信号４６を発信するのみで受信は出来ない構成となっている。又、ホームバス１７に接続されたＩＣカード用機器４１はＩＣカード１を接続可能な構成である。機器Ａ３６や外部通信機器１９、ＩＣカード用機器４１のそれぞれは、同一のホームバス１７が敷設されている場所であれば、設置場所に何ら制限の無い事は言うまでも無く、例えば、各機器が異なる居室に配されても良い。
【００５９】
以上の構成により、以下本発明の動作を図１５を用いて説明する。
【００６０】
図１５は図１３に示す構成を持った本実施例の赤外線信号４６で通信される電子情報とホームバス上を伝達される情報を示したデータ構成図である。（ａ）は、端末装置４５が最初に複数存在するであろう機器に対して電子マネー情報の移動を開始する場合に送出する赤外線を用いた移動開始信号９１である。電子情報の内容として、移動開始を示す情報９１を発信した機器として、端末装置４５の中央演算装置７が、機器番号情報イ８を読み出して付加する。更に、送出する信号には、送出する信号順に通し番号８８を付加した構成としている。ＩＣカードとして、ＩＣカード用機器の機器番号情報ホ４３を設定し、かつ対象とするＩＣカードを示すＩＣカード番号８９も付加している。更に、端末装置４５は、予め使用者に暗証番号を入力装置９から入力させており、該入力された暗証番号を暗号化し、この暗号化された暗証番号９０をも付加している。尚、本実施例では、暗証番号に加えて乱数情報も合わせて暗号化し、毎回異なる暗号が生成され、乱数情報も暗号化された暗証番号に含めて送出する様になっている。
【００６１】
（ｂ）は、機器Ａ３６が（ａ）の移動開始情報９１を受信した後に、ホームバス１７上に転送した移動開始信号であり、電子情報の内容には、機器Ａ３６の中央演算装置２１が、機器番号情報ロ２４を付加している。ホームバス１７上を電送された移動開始信号は、第２の実施例の外部通信機器が情報を取得するのと同様にＩＣカード用機器４１に取得される。移動開始信号を取得したＩＣカード用機器４１は、暗号化された暗証番号９０を、対象とするＩＣカード番号で指定されたＩＣカード１に伝達する。ＩＣカード１は、入力された暗号化された暗証番号をＩＣカード中央演算装置３で解読し記録された暗証番号４８と照合する。照合の結果が正しければ、電子マネー情報の移動開始を示す情報に従い、電子マネーの移動を開始する。
【００６２】
（ｃ）は、電子マネーの移動を開始したＩＣカード用機器４１が、ホームバス１７上に出力する電子マネー情報９４である。外部通信機器１９の機器番号ニ３４を設定し、電子マネー情報で有る事を示す情報９３を設定し、また送出する信号順の通し番号を示す情報９２を設定して、付加している。外部通信機器１９が、ホームバス１７上のデータから該電子マネー情報を取得する動作は第２の実施例と同様である。
【００６３】
（ｄ）は、外部通信機器１９が、受け取った電子マネー情報を電話回線を経由でホスト装置３５に伝達し、この後ホスト装置３５から電子マネーの確認情報を受け取り、受け取った電子マネーの確認情報をＩＣカード用機器４１に転送するために、ホームバス１７上に送出する電子マネーの確認情報９７の確認である。
【００６４】
該電子マネーの確認情報９７を、ホームバス１７上から抽出したＩＣカード用機器４１は、抽出したデータの中から電子マネーの確認情報９１を、ＩＣカード１に伝達する。ＩＣカード中央演算装置３では受け取った電子マネーの確認情報９７を確認し、正常であれば電子マネーの移動処理の終了を出力する。ＩＣカード１から、電子マネーの移動処理の終了を受け取ったＩＣカード用機器４１は、ホームバス１７上に（ｅ）に示す電子マネー情報の移動終了を示す情報９９を出力する。電子マネー情報の移動終了を示す情報９９を抽出した外部通信機器１９は、ホスト装置３５に電子マネーの移動が終了した事を通知した後、（ｆ）に示す電子マネー情報の移動終了応答を示す情報１０１を出力する。電子マネー情報の移動終了応答を示す情報を抽出したＩＣカード用機器４１は、電子マネーの移動を完了する。
【００６５】
以上述べた動作による、本実施例の効果を、以下述べる。
【００６６】
本実施例では、端末装置４５は赤外線の送信機能のみ有し、ホームバス上の機器は赤外線の受信機能のみで構成されている。このため、第１の実施例に比べ、端末装置に赤外線の受信機能が不要で、かつ機器には赤外線の送信機能が不要となり、構成が簡単である効果は第２の実施例と同様である。
【００６７】
更に、本実施例では、ＩＣカード１を専用のＩＣカード用機器に格納し、端末装置では暗証番号の送出を行う事でＩＣカードの制御がホームバス上で行えるため、ＩＣカードを端末装置の近くに配して差し替えるといった手間が省ける効果もある。
【００６８】
又、本実施例では、端末装置４５が暗号化した暗証番号を、ＩＣカード内部で解読するため、ＩＣカードの正当な利用者以外は容易にＩＣカードを利用できない効果もある。
【００６９】
次に、本発明の第４の実施例を図１６〜図２９を用い説明する。
【００７０】
図１６は、本発明の第４の実施例を示す構成図である。以下、図１６を用い構成を説明する。本実施例で第１の実施例と同一の構成には、同一の番号を付してある。５７はホームバス１７に接続された機器Ｄ、５８は機器Ｄ５７が有するところのホームバス１７からの情報を表示する為の情報表示装置である。機器Ｄ５７は内部に赤外線受光部２０と中央演算装置２１と機器番号情報ロ２４と情報表示装置５８と受信回路２５を有する。機器Ｄが第１の実施例の図１と異なるのは、機器Ｄ５７が赤外線受光部２０のみを有すとことで、赤外線の発光部を持たない点は、第３の実施例と同様である。又、端末装置４５が、赤外線発光部１０のみを有し、赤外線の受信手段及び強度比較機能を有していない点、及びＩＣカード１の接続部が無い点も第３の実施例と同様である。
【００７１】
５０はＩＣカード用機器の制御を行う中央演算装置であり、ＩＣカード１の接続部４４は、複数設けられて、中央演算装置５０に接続されている。４３は複数ＩＣカード用機器４９に固有なＩＤ番号である機器番号情報ホ、４６は本実施例の端末装置４５の赤外線発光部１０が発光する赤外線信号である。複数ＩＣカード用機器４９において、５２は各ＩＣカード毎に登録と変更が可能なＩＣカードの情報を記録した機器内ＩＣカード情報表、５１は機器内ＩＣカード情報表５２の書き換えや消去といった管理を行うＩＣカード情報表作成機能である。
【００７２】
ＩＣカード情報表作成機能５１は、本実施例の場合、中央演算装置５０の内部のソフトウエアの機能として実現されている。５３は、第１の実施例のＩＣカード１との接続部４４の機能に加えて、ＩＣカードの有無を電気信号として中央演算装置５０に通知する機能を有した検出器付き接続部である。５４、５５、５６及び６０は、それぞれのＩＣカード１の内部に記録された各ＩＣカードに固有な情報であるＩＣカード情報ア、 ＩＣカード番号イ、ＩＣカード番号ウ、及びＩＣカード番号エである。それぞれのＩＣカード情報は、いずれのＩＣカード１でも、共通の読み出し方法で読み出す事が出来る情報である。６１は、ＩＣカード情報表作成機能５１が機器内ＩＣカード情報表５２を作成する際に参照と書換えや消去を行うＩＣカード情報データベースである。複数ＩＣカード用機器４９は送受信回路２５と機器番号情報ホ４３と機器内ＩＣカード情報表５２と検出器付き接続部５３とＩＣカード情報データべース６１を有する。
【００７３】
更に、本実施例の構成について、図１７を用いて説明する。
【００７４】
図１７は、本実施例の形態を示す構成図である。図１６と同一の構成及び第１の実施例と同一の構成は、同一の番号を附している。本実施例では、端末装置４５は赤外線信号４６を発信するのみで受信は出来ない構成となっている。又、ホームバス１７に接続された複数ＩＣカード用機器４９はＩＣカード１を接続可能であり、かつ検出器付き接続部５３には複数のＩＣカード１を接続することが可能な構成である。機器Ｄ５７は、テレビ装置を用いており、情報表示装置５８としてテレビ装置の表示画面を用いている。機器Ｄ５７や外部通信機器１９、複数ＩＣカード用機器４９のそれぞれは、同一のホームバス１７が敷設されている場所であれば、設置場所に何ら制限の無い事は言うまでも無く、例えば各機器が異なる居室に配されても良い。
【００７５】
更に、本実施例の構成について図１８を用いて説明する。図１８は、本実施例の複数ＩＣカード用機器４９の内部で生成される機器内ＩＣカード情報表５２を示す図である。本実施例では、複数ＩＣカード用機器４９の検出器付き接続部５３毎に接続部番号１，２，３，４が付されている。機器内ＩＣカード情報表５２では、この接続部番号毎にＩＣカードの情報として、ＩＣカードに固有なＩＣカード番号、ＩＣカード内のアプリケーションソフトウエアに固有な番号であるＡＩＤ、ＩＣカード内のアプリケーションソフトウエアに固有に付けられたアプリケーション名、ＩＣカードの使用者名、使用者毎に複数ＩＣカード用機器４９に登録された暗証番号が、接続部番号毎に記録された形となっている。尚、本実施例の場合、機器内ＩＣカード情報表５２に記録される情報の内、 ＩＣカード番号、ＡＩＤの２つの情報が、図１６のＩＣカード情報ア５４、ＩＣカード情報イ５５、ＩＣカード情報ウ５６に記録されている。ＩＣカード番号エ６０には、ＡＩＤの情報が記録されている。
【００７６】
以上の構成により、以下本発明の動作を、図１９〜図２９を用いて、説明する。
【００７７】
図１９は、図１６に示す構成を持った本実施例の赤外線信号４６で通信される電子情報とホームバス上を伝達される情報を示したデータ構成図である。（ａ）は、端末装置４５が最初に複数存在するであろう機器に対して電子決済を開始する場合に送出する赤外線を用いた電子決済開始信号である。電子情報の内容として、電子決済開始の開始を示す情報１０３を発信した機器として、端末装置４５の中央演算装置７が、機器番号情報イ８を読み出して、付加する。更に、送出する信号には、送出する信号順に通し番号１０２を付加した構成としている。また、ＩＣカード用機器の機器番号情報ホ４３を設定し、かつ対象とするＩＣカードが接続されている検出器付き接続部番号ｔ１０４をも付加している。更に、端末装置４５は、予め使用者に暗証番号を入力装置９から入力させており、該入力された暗証番号を暗号化し、この暗号化された暗証番号１０５をも付加している。尚、本実施例では、暗証番号に加えて乱数情報も合わせて暗号化し、毎回異なる暗号が生成され、乱数情報も暗号化された暗証番号に含めて送出する様になっている。
【００７８】
（ｂ）は、機器Ｄ５７が（ａ）の電子決済開始信号を受信した後に、ホームバス１７上に転送した電子決済開始信号であり、電子情報の内容には、機器Ｄ５７の中央演算装置２１が、機器番号情報ロ２４を付加している。ホームバス１７上を電送された電子決済開始信号は、第２の実施例の外部通信機器が情報を取得するのと同様に、図１７の複数ＩＣカード用機器４９に取得される。電子決済開始信号を取得した複数ＩＣカード用機器４９は、暗号化された暗証番号を解読し、機器内ＩＣカード情報表５２を参照し、接続部番号で指定されたレコードに記録された暗証番号と比較する。電子決済開始信号を取得した複数ＩＣカード用機器４９は、暗証番号が一致すると、電子決済処理を継続する。
【００７９】
更に、継続される処理の動作について、図２０を用いて、説明する。
【００８０】
図２０は、図１９に示す情報の後に、ホームバス１７上で伝達される情報を示したデータ構成図である。図１７、図１６の複数ＩＣカード用機器４９は、暗証番号の比較の次に、機器内ＩＣカード情報表５２を参照し、電子決済に使用可能なアプリケーションソフトウエアの有無を判別する。使用可能なアプリケーションソフトウエアが複数ある場合は、図２０（ａ）に示す情報をホームバス１７に出力する。発信した機器の機器番号として、複数ＩＣカード用機器４９の機器番号情報ホ４３が設定され、指示を与える先として機器Ｄ５７の機器番号情報ロが設定されている。更に、機器Ｄ５７に対する指示として文字表時動作の指示と表示する文字情報１０７、及び入力手段からの情報を取得する事を指示する入力待ちの指示１０８が設定され、付加られている。（ａ）に示す情報をホームバス１７上から検出した機器Ｄ５７は、図１７の情報表示装置５８に文字情報を出力し、端末装置４５からの赤外線信号を待つ。使用者は、端末装置４５の入力装置９を使って数字を入力する。端末装置４５は、入力された数字を赤外線信号で送出する。
【００８１】
赤外線信号を受信した機器Ｄ５７は、受け取った数字を入力結果として設定し、（ｂ）に示す入力待ち応答を示す情報１１１をホームバス１７上に出力する。この（ｂ）に示す応答を検出した複数ＩＣカード用機器４９は、対象とする接続部番号で選択されたＩＣカード１に記録されたアプリケーションソフトウエアの内、入力結果で指示されたアプリケーションソフトウエアを使った電子決済を開始する。電子決済の手順は、第３の実施例を同様である。（ｃ）は、複数ＩＣカード用機器４９が、アプリケーションソフトウエアの有無の判別で、使用可能なアプリケーションソフトウエアが無い場合に出力される情報である。使用可能なプリケーションソフトウエアが無い旨を示す文字情報１１４を設定し、付加されて送出される。（ｄ）は、複数ＩＣカード用機器４９が、暗証番号の比較の結果、暗証番号が一致しなかった場合に出力される情報である。暗証番号が一致しなかった旨を示す文字情報１１６を設定し、付加されて送出される。尚、本実施例の場合、暗証番号が一致し、アプリケーションソフトウエアの有無の判別で、使用可能なアプリケーションソフトウエアが一つの場合は、図２０に示す情報を出力することなく電子決済が開始される。  更に、本発明の動作を、図２１を用いて、説明する。図２１は、図１６の機器Ｄ５７の情報表示装置５８に表示された情報を示す。（ａ）は、図２０（ａ）に示される情報を機器Ｄ５７が検出した場合の表示である。この場合、本実施例の機器Ｄ５７は、入力手段として赤外線信号しかない為、機器Ｄ５７が赤外線信号の送出を使用者に促す情報として入力案内５９を付加して表示している。（ｂ）は、図２０（ｃ）に示される情報を機器Ｄ５７が検出した場合の表示、（ｃ）は、図２０（ｄ）に示される情報を機器Ｄ５７が検出した場合の表示である。
【００８２】
更に、本発明の動作を、図２２を用いて、説明する。図２２は、図１６に示す構成を持った本実施例の赤外線信号４６で通信される電子情報とホームバス上を伝達される情報の他の例を示したデータ構成図である。（ａ）は、端末装置４５の使用者が接続部番号の入力を行わなかった場合に赤外線信号として出力する電子決済の開始を示す信号１１８である。端末装置４５の使用者は、電子決済の開始を示す信号１１８と暗号化された暗証番号１１９の入力のみを行うと、（ａ）に示す信号が出力される。対象とする接続部番号が設定されていないこと以外は、図１９（ａ）に示した信号と同様である。（ｂ）は、（ａ）に示す赤外線信号を受信した機器Ｄ５７が、ホームバス１７上に転送する情報である。転送された（ｂ）に示す情報を検出した複数ＩＣカード用機器４９は、まず情報で送付された暗号化された暗証番号１１９を解読する。解読した暗証番号１１９を機器内ＩＣカード情報表５２に記録された暗証番号と比較し、比較の結果、一致する暗証番号が設定されたＩＣカードを選択したものとみなして電子決済の処理を継続する。継続される処理は、図２０及び図２１に示した処理と同様である。
【００８３】
更に、本発明の動作を、図２３を用いて、説明する。図２３は、図１６に示す構成を持った本実施例の赤外線信号４６で通信される電子情報とホームバス上を伝達される情報の更に他の例を示したデータ構成図である。（ａ）は、端末装置４５の使用者が接続部番号の入力と暗証番号の入力を行わなかった場合に赤外線信号として出力する電子決済の開始を示す信号１２１である。端末装置４５の使用者は、電子決済の開始の入力のみを行うと、（ａ）に示す信号が出力される。対象とする接続部番号と暗号化された暗証番号が設定されていないこと以外は、図１９（ａ）に示した信号と同様である。（ｂ）は、（ａ）に示す赤外線信号を受信した機器Ｄ５７が、ホームバス１７上に転送する情報である。転送された（ｂ）に示す情報を検出した複数ＩＣカード用機器４９は、まず機器内ＩＣカード情報表５２に記録されたグループを検索し、指示された電子決済に使用可能な接続部番号を取得する。取得した接続部番号に対応した使用者名を抽出し、電子決済処理を継続する。
【００８４】
更に、継続される処理の動作について、図２４を持い説明する。
【００８５】
図２４は、図２３に示す情報の後に、ホームバス１７上で伝達される情報を示したデータ構成図である。（ａ）は、複数ＩＣカード用機器４９が作成する情報である。複数ＩＣカード用機器４９は、使用者名を抽出後、使用者名を選択する文字情報１２３を作成し、入力待ちの指示１０９を付加してホームバス１７を介して機器Ｄ５７に指示の情報をも作成し、付加して送出する。機器Ｄ５７は、（ａ）に示す情報を検出すると、使用者名を選択する文字情報を情報表示装置５８に出力し、端末装置４５からの赤外線信号を待つ。使用者は、端末装置４５の入力装置９を使って数字を入力する。端末装置は、入力された数字を赤外線信号で送出する。赤外線信号を受信した機器Ｄ５７は、受け取った数字を入力結果として設定し、（ｂ）に示す入力結果を示す情報１１０を作成し付加して、ホームバス１７上に出力する。この（ｂ）に示す入力結果を示す情報１１０を検出した複数ＩＣカード用機器４９は、（ｃ）に示す暗証番号の入力を要求する指示の情報１２７を作成し付加して、ホームバス１７に出力する。
【００８６】
機器Ｄ５７は、（ｃ）に示す情報を検出すると、文字情報を情報表示装置５８に出力し、端末装置４５からの赤外線信号を待ち、赤外線信号を受信後に（ｂ）示す入力結果を示す情報１１０をホームバス１７上に出力する。（ｃ）と、これに対する応答は暗証番号の桁数分だけ繰り返される。本実施例の場合、四回繰り返される。繰り返しの結果、暗証番号を取得した複数ＩＣカード用機器４９は、取得した暗証番号と、機器内ＩＣカード情報表５２に記録された暗証番号を比較する。比較の結果が一致すれば、暗証番号が一致した接続部番号のＩＣカード１が選択されたとみなし、電子決済の処理を継続する。継続される処理は、図２０及び図２１に示した処理と同様であり、例えば（ｄ）に示すアプリケーションソフトウエアを選択する画面と入力の指示の信号を出力する。
【００８７】
更に、本発明の動作を、図２５を用いて、説明する。図２５は、図１６の機器Ｄ５７の情報表示装置５８に表示された情報を示す。（ａ）は、図２４（ａ）に示される情報を機器Ｄ５７が検出した場合の表示である。この場合、本実施例の機器Ｄ５７は、入力手段として赤外線信号しかない為、機器Ｄ５７が赤外線信号の送出を使用者に促す為に入力案内５９を付加して表示している。（ｂ）は、図２４（ｃ）に示される情報を機器Ｄ５７が検出した場合の表示、（ｃ）は、図２４（ｄ）に示される情報を機器Ｄ５７が検出した場合の表示である。
【００８８】
更に、本発明の機器内ＩＣカード情報表作成機能５１の動作を図２６〜図２８を用い説明する。図２６は、図１６の複数ＩＣカード用機器４９の機器内ＩＣカード情報表５２が、図１８となっている状態で、接続部番号１の検出器付き接続部５３が、ＩＣカード１が抜かれた事を検出した場合の機器内ＩＣカード情報表５２を示す図である。図２７、図２８、及び図２９は、機器内ＩＣカード情報表作成機能５１が使用するＩＣカード情報データベース６１の内容を示したデータ構成図である。
【００８９】
機器内ＩＣカード情報表作成機能５１は、接続部番号１の検出器付き接続部５３が、ＩＣカード１が抜かれたことを通知してくると、機器内ＩＣカード情報表５２の接続部番号１に該当する情報を消去する動作を行い、機器内ＩＣカード情報表５２を図２６に示す情報に更新する。
【００９０】
次に、情報が消去された接続部番号１に該当する検出器付き接続部５３にＩＣカード１が装着され、装着されたＩＣカード１の情報が、機器内ＩＣカード情報表５２に登録されるまでの機器内ＩＣカード情報表作成機能５１の動作を説明する。ＩＣカード１が装着されると検出器付き接続部５３が、ＩＣカード１が装着された事を機器内ＩＣカード情報表作成機能５１に通知する。機器内ＩＣカード情報表作成機能５１は、挿入されたＩＣカード１に共通に定められた手順に従い活性化の処理を行う。活性化の後、共通に定められた手順に従いＩＣカード情報ア５４を読み出す。ＩＣカード情報ア５４には、ＩＣカード番号とＡＩＤが記録されている。
【００９１】
まず、取得したＩＣカード番号とＩＣカード情報データベース６１の図２７に示す対応表とを比較し、一致する情報がある場合、該当する使用者名と暗証番号を取得する。次に、取得したＡＩＤと、ＩＣカード情報データベース６１の図２８に示す対応表とを比較し、一致する情報がある場合、該当するアプリケーション名とグループを取得する。該動作により取得した、 ＩＣカード番号、ＡＩＤ、アプリケーション名、グループ、使用者名、暗証番号を、機器内ＩＣカード情報表５２に記録する。記録の結果、機器内ＩＣカード情報表５２が更新される動作となる。
【００９２】
以上の動作ではＩＣカード情報ア５４にＩＣカード番号とＡＩＤが記録されていた場合であるが、ＡＩＤのみ記録されたいた場合の機器内ＩＣカード情報表作成機能５１の動作について説明する。ＡＩＤのみ登録されていた場合、一枚のＩＣカードに記録されたＡＩＤを総て取得し、取得したＡＩＤの組み合わせとＩＣカード情報データベース６１の図２９に示す対応表とを比較し、一致する組み合わせの情報がある場合、該当する使用者名を取得する。使用者名が取得できた場合、更に、図２７の対応表の使用者名と比較し、一致した情報がある場合、暗証番号を対応表から取得する。
【００９３】
次に、取得したＡＩＤ、アプリケーション名、グループ、使用者名、暗証番号を、機器内ＩＣカード情報表５２に記録する。記録の結果、機器内ＩＣカード情報表５２が更新される動作となる。尚、説明では、 ＩＣカード情報データベース６１に総て合致する情報が記録されていた場合として説明したが、合致する情報が無い場合、機器内ＩＣカード情報表作成機能５１は、情報が不足している事を中央演算装置５０からホームバス１７へ文字情報を出力し、これに合わせて必要な情報の入力を機器D５７に要求する事で情報を取得する。又、取得した新しい情報は、新たにＩＣカード情報データベース６１に記録される。又、本実施例の場合、ＩＣカード情報にはＩＣカード番号とＡＩＤが記録されてるとしたが、アプリケーション名、グループ、使用者名、暗証番号の各情報の一部が記録されていても同様な動作が可能である事は言うまでもない。
【００９４】
以上述べた動作による、本実施例の効果を以下述べる。
【００９５】
本実施例では、端末装置４５は赤外線の送信機能のみ有し、ホームバス上の機器は赤外線の受信機能のみで構成されている。このため、第１の実施例に比べ、端末装置に赤外線の受信機能が不要で、かつ機器には赤外線の送信機能が不要となり、構成が簡単である効果は第２の実施例と同様である。
【００９６】
更に、本実施例では、複数のＩＣカード１を専用の複数ＩＣカード用機器に格納し、かつ、複数ＩＣカード用機器がＩＣカードの挿抜を検出し、自動的に必要な情報を複数ＩＣカード用機器の内部に貯えてくれる。このため、端末装置では暗証番号やＩＣカード番号等の必要最小限度の情報の送出のみ行う事でＩＣカードの制御がホームバス上で行えるため、複数のＩＣカードが存在した場合、総てのＩＣカードを端末装置の近くに配して差し替えるといった手間が省ける効果もある。
【００９７】
又、本実施例では、端末装置４５が出力した暗証番号を、複数ＩＣカード用機器４９の内部で解読するため、いちいちＩＣカードとの間の暗証番号の確認処理を行う必要が無い効果もある。
【００９８】
【発明の効果】
以上述べた様に、本発明によれば、ホームバスの出現で相互に連携しての動作が可能となった複数の機器間において、ＩＣカードに記録された情報を相互に利用可能とすることができる。
【００９９】
また、本発明によれば、ホームバスの出現で相互に連携しての動作が可能となった複数の機器間において、ＩＣカードに記録された情報を相互に利用可能とし、且つ、ＩＣカードに記録された情報を複数の機器が扱う事を可能とすることができる。
【図面の簡単な説明】
【図１】  本発明の第１の実施例の構成を示す構成図である。
【図２】  本発明の第１の実施例の形態を示す構成図である。
【図３】  本発明の第１の実施例の動作を示すデータ構成図である。
【図４】  本発明の第１の実施例の動作を示すデータ構成図である。
【図５】  本発明の第１の実施例の動作を示すデータ構成図である。
【図６】  本発明の第１の実施例の動作を示す動作フロー図である。
【図７】  本発明の第１の実施例の動作を示す動作フロー図である。
【図８】  本発明の第１の実施例の動作を示す動作フロー図である。
【図９】  本発明の第２の実施例の構成を示す構成図である。
【図１０】  本発明の第２の実施例の形態を示す構成図である。
【図１１】  本発明の第２の実施例の動作を示すデータ構成図である。
【図１２】  本発明の第２の実施例の動作を示す動作フロー図である。
【図１３】  本発明の第３の実施例の構成を示す構成図である。
【図１４】  本発明の第３の実施例の形態を示す構成図である。
【図１５】  本発明の第３の実施例の動作を示すデータ構成図である。
【図１６】  本発明の第４の実施例の構成を示す構成図である。
【図１７】  本発明の第４の実施例の形態を示す構成図である。
【図１８】  本発明の第４の実施例のデータ構造の内容を示す構成図である。
【図１９】  本発明の第４の実施例の動作を示すデータ構成図である。
【図２０】  本発明の第４の実施例の動作を示すデータ構成図である。
【図２１】  本発明の第４の実施例の動作を示す画面の表示図である。
【図２２】  本発明の第４の実施例の動作を示すデータ構成図である。
【図２３】  本発明の第４の実施例の動作を示すデータ構成図である。
【図２４】  本発明の第４の実施例の動作を示すデータ構成図である。
【図２５】  本発明の第４の実施例の動作を示す画面の表示図である。
【図２６】  本発明の第４の実施例のデータ構造の内容を示す構成図である。
【図２７】  本発明の第４の実施例のデータ構造の内容を示す構成図である。
【図２８】  本発明の第４の実施例のデータ構造の内容を示す構成図である。
【図２９】  本発明の第４の実施例のデータ構造の内容を示す構成図である。
【符号の説明】
１…ＩＣカード、２…電子マネー情報、３…ＩＣカード中央演算装置、５,３８,４５…端末装置、９…入力装置、１０…赤外線発光部、１６,３６…機器Ａ、１７…ホームバス、１９… 外部通信機器、４１…ＩＣカード用機器、４７…ＩＣカード番号、４８…暗証番号、４９…複数ＩＣカード用機器、５２…機器内ＩＣカード情報表、８９…対象とするＩＣカードを示すＩＣカード番号、９０…暗号化された暗証番号、９１…電子マネー情報の移動開始を示す情報。
【図１】
0003847502.tif 000002
【図２】
0003847502.tif 000003
【図３】
0003847502.tif 000004
【図４】
0003847502.tif 000005
【図５】
0003847502.tif 000006
【図６】
0003847502.tif 000007
【図７】
0003847502.tif 000008
【図８】
0003847502.tif 000009
【図９】
0003847502.tif 000010
【図１０】
0003847502.tif 000011
【図１１】
0003847502.tif 000012
【図１２】
0003847502.tif 000013
【図１３】
0003847502.tif 000014
【図１４】
0003847502.tif 000015
【図１５】
0003847502.tif 000016
【図１６】
0003847502.tif 000017
【図１７】
0003847502.tif 000018
【図１８】
0003847502.tif 000019
【図１９】
0003847502.tif 000020
【図２０】
0003847502.tif 000021
【図２１】
0003847502.tif 000022
【図２２】
0003847502.tif 000023
【図２３】
0003847502.tif 000024
【図２４】
0003847502.tif 000025
【図２５】
0003847502.tif 000026
【図２６】
0003847502.tif 000027
【図２７】
0003847502.tif 000028
【図２８】
0003847502.tif 000029
【図２９】
0003847502.tif 000030